(57)【特許請求の範囲】
【請求項１】
弧状に湾曲させた金属芯線の外側に合成樹脂モノフィラメント製の小径コイルを外挿し、該小径コイルの外側に該小径コイル外径よりも大きい内径を有すると共に、該小径コイルよりも長手方向の長さが短い合成樹脂モノフィラメント製の大径コイルを回動自在かつ長手方向に移動自在に遊嵌し、前記大径コイルの表面をケーブル延線用のガイド面とし、かつ前記金属芯線の両端部にそれぞれ係止部を形成し、前記小径コイルの両端部にそれぞれカップリングと回転駒とを取付け、前記金属芯線上に固定したストッパーにより前記回転駒の軸方向の移動を規制したケーブル延線用治具。
【請求項２】
前記係止部をメッセンジャーワイヤに対する係止用とする請求項１に記載のケーブル延線用治具。
【請求項３】
前記大径コイルの長手方向の長さが前記小径コイルのそれの５０〜９５％である請求項１または２に記載のケーブル延線用治具。
【請求項４】
前記小径コイルおよび大径コイルを構成する合成樹脂モノフィラメントの外接円直径が１．０〜５．０ｍｍである請求項１〜３のいずれか１項に記載のケーブル延線用治具。
【請求項５】
前記小径コイルの外径が５〜５０ｍｍ、前記大径コイルの内径が６〜５５ｍｍである請求項１〜４のいずれか１項に記載のケーブル延線用治具。
【請求項６】
前記合成樹脂モノフィラメントがポリエステルからなる請求項１〜５のいずれか１項に記載のケーブル延線用治具。
【発明の詳細な説明】
【０００１】
【発明の属する技術分野】
本発明は、通信用ケーブル等の延線用に使用される治具に関し、さらに詳しくは、耐久性に優れると共にケーブル延線作業性を向上することができるケーブル延線用治具に関する。
【０００２】
【従来の技術】
一般に、電信或いは光通信などの通信用ケーブルを架設する場合には、そのケーブル自体に高い張力を与えることができないため、メッセンジャーワイヤと称する抗張用のワイヤを併用し、このメッセンジャーワイヤに対して通信用ケーブルを平行に延線すると共に、その通信用ケーブルを一定間隔毎に吊具によって懸架するようにしている。
【０００３】
図３（Ａ），（Ｂ），（Ｃ）は、このような通信用ケーブルの架設工事方法を例示するものである。まず、図３（Ａ）のように、所定の間隔に立設された電柱５０の間に抗張材としてのメッセンジャーワイヤ１０を張設すると共に、そのメッセンジャーワイヤ１０に金車と称される延線用の滑車６０を適宜間隔に吊り下げる。
【０００４】
次いで、図３（Ｂ）のように、ケーブル２０をクリール３０から引き出しつつ、上記のように吊り下げた滑車６０にガイドさせながらメッセンジャーワイヤ１０に平行に延線する。
最後に、図３（Ｃ）のように、メッセンジャーワイヤ１０に沿って延線されたケーブル２０を、上記滑車６０を１個ずつ外しながら適宜間隔に吊具７０を取り付けてメッセンジャーワイヤ１０に対してケーブル２０を懸架させるようにする。このときの吊具７０としては、図４に示すように、金属芯線７１の両端部に鉤形の係止部７２を有し、中間部を湾曲させて合成樹脂等の絶縁材７３で被覆するように構成され、係止部７２をメッセンジャーワイヤ１０に係止させ、絶縁材７３の部分でケーブル２０を支持するようにしている。
【０００５】
上記ケーブル架設工事において使用される滑車（金車）６０は、図５に示すように、ケーブル２０を案内するガイド溝を周面に持つローラ６１と、メッセンジャーワイヤ１０に懸架させるフック６２を持つ支持枠６３とからなり、全体が金属で構成されている。しかし、このような金属製の大きな重量の滑車６０を多数所持しながら高所で行う取付け作業は手間がかかり、かつ滑車６０が滑り落ちて損傷事故や負傷事故などを発生させることもあるので、作業者にとって精神的に大変な重労働となっていた。
【０００６】
このような重労働を軽減するために滑車６０を合成樹脂製にしたとしても、滑車の構造上からケーブル延線時にローラ６１の軸部に局所的に負荷がかかることによって、金属に比べて耐摩耗性に劣る合成樹脂製の場合には軸部が早期に摩滅しやすく、その摩滅によって回転が悪化してケーブル延線作業効率を低下させてしまうという問題があった。
【０００７】
【発明が解決しようとする課題】
本発明の目的は、上述した従来の問題を解消し、優れた耐久性を有すると共に、ケーブル延線作業性を向上させることができるケーブル延線用治具を提供することにある。
【０００８】
【課題を解決するための手段】
上記目的を達成する本発明によるケーブル延線用治具は、弧状に湾曲させた金属芯線の外側に合成樹脂モノフィラメント製の小径コイルを外挿し、該小径コイルの外側に該小径コイル外径よりも大きい内径を有すると共に、該小径コイルよりも長手方向の長さが短い合成樹脂モノフィラメント製の大径コイルを回動自在かつ長手方向に移動自在に遊嵌し、前記大径コイルの表面をケーブル延線用のガイド面とし、かつ前記金属芯線の両端部にそれぞれ係止部を形成し、前記小径コイルの両端部にそれぞれカップリングと回転駒とを取付け、前記金属芯線上に固定したストッパーにより前記回転駒の軸方向の移動を規制したことを特徴とするものである。
【０００９】
このケーブル延線用治具によれば、両端の係止部をメッセンジャーワイヤ等に懸架させた状態にし、合成樹脂モノフィラメント製の大径コイルの表面がケーブル延線用のガイド面であることにより、適宜ピッチで並ぶ多数の螺旋状ループがケーブルを同時に支持することになり、これら多数の螺旋状ループがケーブルの押圧力を分散させて局所的に集中させることがないので、耐久性の向上を図ることができる。しかも、大径コイルは同じ合成樹脂モノフィラメント製の小径コイル上に回動自在に支持され、金属芯線に直接接していないため内径側の摩滅も低減され、一層耐久性を良好にすることができる。
【００１０】
また、ケーブルを挿通操作するときは、滑車の狭いガイド溝を通すのではなく、弧状に拡がった大径コイルの湾曲面に通すので挿通作業性が向上する。また、ケーブルを挿通操作するときケーブルが左右にブレながら延線されることによってガイド面に大きな抵抗を与えるため、円滑な挿通操作の障害になることがある。しかし、ガイド面となる大径コイルが、長手方向の長さを小径コイルよりも短くし、かつ長手方向に移動自在になっているため、ケーブルが上記のように左右にブレることがあっても、大径コイルがブレに追従して長手方向に容易に移動するため、何ら抵抗を与えることなく挿通操作を円滑にし、ケーブル延線の作業効率を著しく向上することができる。
【００１１】
【発明の実施の形態】
図１は、従来の金車６０（図３参照）の代替として使用される本発明のケーブル延線用治具の一例を示すものであり、図１（Ａ）は本発明の治具をメッセンジャーワイヤとケーブルに取り付け、その側面から見たときの図、図１（Ｂ）は同じく治具をケーブルの軸線方向から見たときの図である。
【００１２】
図１（Ａ），（Ｂ）に示す本発明のケーブル延線用治具Ｊは、金属芯線１を骨格とし、その中間部を弧状に湾曲させると共に、この湾曲部分に合成樹脂モノフィラメントからなる小径コイル２ａを外挿すると共に、さらにその外側に同じく合成樹脂モノフィラメントからなる別の大径コイル２ｂを外挿して構成されている。また、金属芯線１の両端部には、それぞれ鉤状に屈曲加工された係止部３，３がメッセンジャーワイヤ１０に対する懸架用として形成されている。
【００１３】
小径コイル２ａは、内径が金属芯線１の外径と略同等の大きさで金属芯線１を被覆するようにしているが、その外側の大径コイル２ｂは内径が小径コイル２ａの外径よりも十分に大きく遊嵌状態になっており、かつ長手方向の長さが小径コイル２ａよりも短くなっている。したがって、大径コイル２ｂは小径コイル２ａの回りに回動自在であると共に、小径コイル２ａの長手方向に移動自在になっている。
【００１４】
図２に詳細を示すように、小径コイル２ａの両端部には、それぞれ合成樹脂製のカップリング４と合成樹脂製の回転駒５が取り付けられている。このカップリング４と回転駒５とは、小径コイル２ａの両端部を保護すると共に、小径コイル２ａが金属芯線１の回りを円滑に回転することができるように作用するものである。回転駒５の外側位置の金属芯線１上にはワッシャー６を介してストッパー７が固定され、このストッパー７により回転駒５が外側へ移動しないように規制している。
【００１５】
小径コイル２ａは全長が両端の回転駒５，５の間に跨がる長さを有するように形成されているが、大径コイル２ｂの方は長手方向の長さが小径コイル２ａよりも短く、その小径コイル２ａの長手方向に沿って移動自在になっている。かつ、前述したように小径コイル２ａに対して遊嵌状態になっている。このように大径コイル２ｂが長手方向に移動自在であることにより、ケーブルの挿通操作時にケーブルが左右にブレることがあっても、そのブレに大径コイルが追従して長手方向に移動するため、何ら抵抗を受けることなく円滑な挿通操作を可能にする。
【００１６】
このように大径コイル２ｂの長手方向移動を許容するため、大径コイル２ｂの長さとしては小径コイル２ａの長さの５０〜９５％、より好ましくは６０〜９０％の範囲であることが望ましい。
上記構成からなる本発明のケーブル延線用治具Ｊを、実際にケーブル延線工事に使用するときは、図３のように電柱間に張設したメッセンジャーワイヤ１０に１個ずつ係止部３を係止させて治具Ｊを懸架し、この懸架状態にした治具Ｊの円弧状の大径コイル２ｂの表面をケーブルガイド面として、ケーブル２０を挿通させて延線操作すればよい。
【００１７】
この延線操作において、大径コイル２ｂは小径コイル２ａの外側に回動可能になっているため、大径コイル２ｂの表面にガイドされるケーブル２０は、大きな抵抗を受けることなく滑るように延線されることになる。加えて大径コイル２ｂのガイド面は、従来の金車の狭いガイド面と違って幅広いケーブル支持面を形成しているため、ケーブルの挿通作業性を良好にすることができる。また、挿通操作時にケーブルが左右にブレても、大径コイル２ｂが長手方向に移動自在になっているため、そのブレに追従移動することによって何ら抵抗を与えることなく円滑な挿通操作を可能にする。
【００１８】
また、大径コイル２ｂは上記のように小径コイル２ａよりも短く形成されることによって両端部を規制されていないので、そのコイル端を引き拡げて小径コイル２ａの外周から直接外したり（装着時）、捲き込んだり（離脱時）することにより脱着することができるので、両端部のストッパー７や回転駒５などを取り外すことなく簡単に脱着することができる。したがって、大径コイル２ｂの摩耗によって新しい大径コイルと交換するときも、簡単に行うことができて取扱性に優れている。
【００１９】
また、ケーブル２０の延線時、適宜ピッチで並ぶ大径コイル２ｂの多数の螺旋状ループがケーブル２０を同時に支持するため、これら多数の螺旋状ループによってケーブル２０の押圧力が分散させられ、局所的に集中させることがないため治具Ｊの耐久性を向上することができる。さらに、ケーブル２０を支持する大径コイル２ｂは内側の小径コイル２ａに支持されていて、硬い金属芯線１に直接接触していないため耐摩耗性が向上し、この点からも治具Ｊの耐久性を向上することができる。
【００２０】
また、複数本のケーブルを同時に延線する場合には、従来の金車では複数のローラを備えた特別の治具を使用する必要があったが、本発明では同一の治具を使用して複数のケーブルの延線を簡単に行うことができ、この点からもケーブル延線作業性を向上することができる。
なお、上述した説明では、本発明のケーブル延線用治具を主としてケーブルの延線工事に使用する例について説明したが、ケーブルの延線工事終了後に、メッセンジャーワイヤから治具を取り外すことなく、そのままメッセンジャーワイヤに懸架した状態で放置することによって、従来の吊具の代用として使用することも可能である。すなわち、従来の金車を用いるケーブル延線工事では、ケーブルの延線終了後にメッセンジャーワイヤから金車を取り外し、これを吊具と交換する作業が必要であったが、本発明のケーブル延線用治具は、延線終了後にメッセンジャーワイヤから取り外すことなくそのまま吊具として使用することができ、延線工事を一層簡素化することができる。
【００２１】
本発明において、モノフィラメントに使用される合成樹脂としては特に限定されるものではないが、好ましくは繊維形成性の熱可塑性樹脂を使用するとよい。例えば、ポリエステル、ポリアミドおよびポリオレフィンなどを挙げることができる、なかでもポリエステルが最適である。
ポリエステルとしては、ポリエチレンテレフタレート、ポリブチレンテレフタレート、またはこれらにアジピン酸、イソフタル酸、イソフタル酸スルホネートおよびポリエチレングリコールなどの第三成分を共重合した共重合体などが挙げられるが、なかでもポリエチレンテレフタレートが最も好ましく使用される。
【００２２】
また、ポリアミドとしてはナイロン６、ナイロン６６、ナイロン６１０、ナイロン６１２、ナイロン１１、ナイロン１２およびこれら各ナイロン構成成分の組合わせからなる共重合体などが挙げられる。
これらの熱可塑性樹脂には、耐熱剤、耐候剤、耐光剤、酸化防止剤、平滑剤、帯電防止剤、染料および顔料などの通常の添加剤成分を任意に含有することができる。
【００２３】
本発明で用いるモノフィラメントは、上記熱可塑性樹脂を通常の溶融紡糸方法によって紡糸することにより製造される。
小径コイルおよび大径コイルを構成する合成樹脂モノフィラメントは、単線であってもよく、複数本のモノフィラメントを撚合せた撚線であってもよい。モノフィラメントを単線で使用するときは、無撚りであっても、或いは撚り掛けしたものであってもよい。また、合成樹脂モノフィラメントの横断面形状としては、円形でも、三角形、四角形、楕円形などの非円形のいずれでも差し支えないが、好ましくは円形とするのがよい。
【００２４】
また、合成樹脂モノフィラメントは、単線または複数本の撚線のいずれからなる場合にも、その外接円の直径が１．０〜５．０ｍｍ、好ましくは１．２〜２．５ｍｍの範囲に設定するのがよい。また、この合成樹脂モノフィラメントをコイルに加工した後の小径コイルの外径は５〜５０ｍｍ、好ましくは１０〜３５ｍｍがよく、また大径コイルの内径は６〜５５ｍｍ、好ましくは１１〜４０ｍｍの範囲にするのがよい。
【００２５】
これら合成樹脂モノフィラメントの太さとコイル外径を適宜選択することにより、ケーブル延線用治具に適した剛性と強さを保障し、かつ小径コイルの金属芯線回りの円滑な回動および大径コイルの小径コイル回りの円滑な回動を保障することができる。
【００２６】
【発明の効果】
上述したように、本発明によれば、合成樹脂モノフィラメントからなる小径コイルの外側に大径コイルを回動自在、かつ長手方向に移動自在に外挿し、その大径コイルの表面をケーブル延線用のガイド面にしたので、大径コイルの適宜ピッチで並ぶ多数の螺旋状ループがケーブルを同時に支持することになり、これら多数の螺旋状ループにケーブルの押圧力を分散させることができ、耐久性を向上することができる。また、大径コイルは金属芯線に直接接することなく、小径コイル上に外挿されているので摩滅が少なくなり、この点からも耐久性を向上することができる。
【００２７】
また、ケーブルを挿通操作するときは、弧状に拡がった大径コイルの湾曲面に通すので操作が容易となり、しかもケーブルは回動自在の大径コイルの上にガイドされるので抵抗なく円滑に延線され、また挿通操作時にケーブルが左右にブレても大径コイルが長手方向に移動してブレに追従するため、抵抗なく円滑に延線することができ、ケーブル延線作業効率を著しく向上することができる。
【図面の簡単な説明】
【図１】本発明のケーブル延線用治具の一例を示し、（Ａ）はメッセンジャーワイヤとケーブルに取り付けて側面から見たときの図、（Ｂ）はケーブルの軸線方向から見たときの図である。
【図２】同ケーブル延線用治具のコイル端部付近を示す縦断面図である。
【図３】（Ａ），（Ｂ），（Ｃ）は、従来のケーブル架設工事方法を工程順に示す説明図である。
【図４】従来のケーブル延線用治具で懸架されたケーブルを示す側面図である。
【図５】従来の金車を示す斜視図である。
【符号の説明】
１    金属芯線
２ａ  小径コイル
２ｂ  大径コイル
３    係止部
４    カップリング
５    回転駒
７    ストッパー
１０    メッセンジャーワイヤ
２０    ケーブル
【図１】
0003969814.tif 000002
【図２】
0003969814.tif 000003
【図３】
0003969814.tif 000004
【図４】
0003969814.tif 000005
【図５】
0003969814.tif 000006